(57)【特許請求の範囲】
【請求項１】
保護シートを密着させた反射面が内側になるように金属板を折り曲げ、ストロボ光を放出する矩形状の開放面に向かって上下反射面及び左右反射面が広がるように傾斜されるとともに、前記左右反射面の後端縁には各々ストロボ放電管が貫通する切欠穴が形成され、前記開放面に対向する底面がストロボ放電管の円筒状外周面に倣う湾曲面となったストロボリフレクタであって、ストロボ装置への組み付け工程において前記保護シートが除去されるストロボリフレクタにおいて、
前記切欠穴の形成によって前記左右反射面の後端側に各々突出する一対の耳状片を、前記左右反射面の各々の外側に向けて屈曲させたことを特徴とするストロボリフレクタ。
【請求項２】
保護シートを密着させた反射面が内側になるように金属板を折り曲げ、ストロボ光を放出する矩形状の開放面に向かって上下反射面及び左右反射面が広がるように傾斜されるとともに、前記左右反射面の後端縁には各々ストロボ放電管が貫通する切欠穴が形成され、前記開放面に対向する底面がストロボ放電管の円筒状外周面に倣う湾曲面となったストロボリフレクタであって、ストロボ装置への組み付け工程において前記保護シートが除去されるストロボリフレクタにおいて、
前記切欠穴の形成によって前記左右反射面の後端側に各々突出する一対の耳状片の外周縁に沿うように、前記上下反射面の後端側に一定幅の切欠を設けたことを特徴とするストロボリフレクタ。
【発明の詳細な説明】
【０００１】
【発明の属する技術分野】
本発明はストロボ装置を構成するストロボリフレクタに関するものである。
【０００２】
【従来の技術】
カメラやレンズ付きフイルムユニットに広く用いられているストロボ装置は、一般的に、ストロボ放電管と、このストロボ放電管を発光させるために昇圧回路、コンデンサ等を有するストロボ回路基板、ストロボ光を効率よく前方に反射させるストロボリフレクタ（反射鏡）、及びストロボ放電管を保護するためのプロテクター（拡散板）等から構成されておる。
【０００３】
これらストロボ装置の構成部品の内、ストロボリフレクタは周知のとおり薄い金属板等で形成されており、ストロボ光を前面側に効率よく反射させるために内側面が反射面（鏡面）となっている。ところで、このようなストロボリフレクタの反射面は大変傷つき易く、擦り傷等で表面が損傷した場合、ストロボ光が乱反射されてしまい、ストロボ光を前面側（被写体側）に効率よく反射することができなくなる恐れがある。また、反射面に汚れや塵等も付着しやすい。特に、安価に大量生産されるレンズ付きフイルムユニットにおいて、予め金属板から打抜き成型されたストロボリフレクタが、レンズ付きフイルムユニット用ストロボ装置の組み立て工程に投入される迄の搬送途上等において、反射面が剥き出しになっていると、振動や衝撃により擦り傷等の損傷を受ける可能性がある。
【０００４】
このようなストロボリフレクタの素材は、鏡面加工された金属板の原反の時に、柔軟な樹脂シート等で表面が保護されており、ストロボリフレクタの成型時も貼着されたまま加工され、この樹脂シートが貼着された状態でストロボ装置の組み立て工程に投入することにより、ストロボリフレクタの反射面の損傷を防止することが従来より行われている。そして、レンズ付きフイルムユニット用ストロボ装置の組み立て工程に投入される直前に、作業者がピンセット等で、ストロボリフレクタの反射面からこの保護シートを１つ１つ剥がしてから、ストロボリフレクタをストロボ装置の組み立て工程に投入していた。
【０００５】
しかし、ストロボリフレクタをストロボ装置の組み立て工程に投入する際に、作業者がピンセット等でストロボリフレクタの反射面から保護シートを１つ１つ剥がす方法では、作業効率が極めて悪く、ストロボリフレクタの投入がネックとなって組み立て工程全体の生産性が低下する原因となったり、保護シートを剥がす際に、ピンセット等の治具の使用により、逆に反射面を傷つけてしまうことも多く、このような点からも問題であった。
【０００６】
このため、例えば、特願平９−３２１２６０号などに記載されているように、ストロボリフレクタの端縁に向けてガスを噴射して、ストロボリフレクタの反射面に密着して被せられた保護シートを反射面から浮き上がらせ、反射面から浮き上がった保護シートをストロボリフレクタに対面して設置した吸引ノズルで吸い込むようにした保護シート除去装置が知られており、一部では使用されている。
【０００７】
【発明が解決しようとする課題】
しかしながら、上述したようなガスの噴射、及び吸引による保護シート除去装置を使用して、従来のリフレクタの保護シートを除去しようとすると、リフレクタの左右反射面の後端縁に設けられているストロボ放電管が貫通する切欠穴の周縁の切れ込みに保護シートが挟まってしまい、ガスの噴射で反射面から浮き上がった保護シートが吸引されないという問題が生じている。
【０００８】
本発明は上記従来技術の問題点を考慮してなされたもので、ガスの噴射による保護シートの剥離装置に対応し、容易に反射面から保護シートを剥離、吸引することが可能なストロボリフレクタを提供することを目的とする。
【０００９】
【課題を解決するための手段】
上記目的を達成するために、請求項１記載のストロボリフレクタでは、保護シートを密着させた反射面が内側になるように金属板を折り曲げ、ストロボ光を放出する矩形状の開放面に向かって上下反射面及び左右反射面が広がるように傾斜されるとともに、前記左右反射面の後端縁には各々ストロボ放電管が貫通する切欠穴が形成され、前記開放面に対向する底面がストロボ放電管の円筒状外周面に倣う湾曲面となったストロボリフレクタであって、ストロボ装置への組み付け工程において前記保護シートが除去されるストロボリフレクタにおいて、前記切欠穴の形成によって前記左右反射面の後端側に各々突出する一対の耳状片を、前記左右反射面の各々の外側に向けて屈曲させたものである。
【００１０】
請求項２記載のストロボリフレクタでは、保護シートを密着させた反射面が内側になるように金属板を折り曲げ、ストロボ光を放出する矩形状の開放面に向かって上下反射面及び左右反射面が広がるように傾斜されるとともに、前記左右反射面の後端縁には各々ストロボ放電管が貫通する切欠穴が形成され、前記開放面に対向する底面がストロボ放電管の円筒状外周面に倣う湾曲面となったストロボリフレクタであって、ストロボ装置への組み付け工程において前記保護シートが除去されるストロボリフレクタにおいて、前記切欠穴の形成によって前記左右反射面の後端側に各々突出する一対の耳状片の外周縁に沿うように、前記上下反射面の後端側に一定幅の切欠を設けたものである。
【００１１】
【発明の実施の形態】
以下本発明の実施例を図面を参照して説明する。図２は本発明のストロボリフレクタを使用して組み立てられたストロボ装置を内蔵したレンズ付きフイルムユニットの外観斜視図であり、図３はその分解斜視図である。レンズ付きフイルムユニット１は、本体部３と、この本体部３に取りつけられる撮影機構４、ストロボ装置５、これらを前後から覆う前カバ−６、後カバ−７とからなるユニット本体２と、このユニット本体２の一部を覆う外装体３１と写真フイルムカートリッジ３２とから構成される。
【００１２】
撮影機構４には、周知のシャッタ装置８、撮影レンズ９、ファインダ１１、及び撮影枚数表示板１２等が設けられている。前カバ−６の前面には、これら撮影レンズ９、ファインダ１１等を露出させる開口が設けられており、ストロボ充電完了を確認するための充電完了表示窓１６も設けられている。また、前カバ−６の前面下部には、ストロボ装置５のスイッチ接片２５を操作するためのスイッチ操作部材１３が一体に設けられている。
【００１３】
前カバ−６の上面には、シャッタ装置８を動作させるレリーズボタン１４が一体に設けられ、また、撮影枚数表示板１２の一部を露出させる撮影枚数表示窓１５等が設けられている。
【００１４】
本体部３の中央には、露光光路であるアパーチャ１７が設けられ、その両端には、カートリッジ室１８、フイルムロール室１９が形成されている。そして、このカートリッジ室１８、フイルムロール室１９には、写真フイルムカートリッジ３２と、この写真フイルムカートリッジ３２から引き出されたフイルムロール３３ｂが各々光密に収納される。さらに、カートリッジ室１８の上部には、写真フイルムカートリッジ３２のスプール３４を回動させて、写真フイルム３３ａを巻き上げるための巻き上げノブ２１が設けられる。
【００１５】
本体部３の前面上部には、ストロボ装置５が取りつけられる。図４に示すように、ストロボ装置５は、コンデンサ３６や充電完了ランプ３７等のストロボ回路を構成するのに必要な各種部品がパターン上に半田付けされたプリント基板２２と、後述するストロボ発光部２３と、このストロボ回路に充電を開始させるスイッチ接片２５、及びこのストロボ装置５に電力を供給する電池２４等から構成されている。
【００１６】
なお、スイッチ接片２５は、スイッチ操作部材１３の押圧によりプリント基板２２上に形成された接点３５ａ，３５ｂと接触し、この接点３５ａと接点３５ｂとの間を短絡させることにより、ストロボ装置５のコンデンサ３６に充電が開始される。また、このストロボ回路は、一回だけスイッチ操作部材１３を押圧してスイッチ接片２５を閉じ、すぐにスイッチ操作部材１３の押圧を解除しても、メインコンデンサ３６には必要な電圧レベルまで充電が行われるタイプのものであり、回路の詳しい構成、作用等は、例えば特願平５−２６８９８３号等に詳述されている。
【００１７】
図６に示すように、ストロボ発光部２３は、ストロボ放電管３８と、ストロボリフレクタ３９と、プロテクター１０と、これらを一体に保持するレフケース４０とからなる。ストロボ放電管３８は、周知のとおり、内部にガスが封入された閃光放電管であり、電極３８ａに高電圧をかけることにより、ストロボ光を発する。
【００１８】
図１は、本発明のストロボリフレクタを背面側から見た斜視図であり、図５は、図１の断面図である。ストロボリフレクタ３９は、鏡面加工された表面側に保護シートを密着させた薄い金属板を、放物線状に湾曲するように折り曲げ成型したものであり、湾曲している内面側は、上下反射面（鏡面）３９ａを構成している。また、上下反射面（鏡面）３９ａの両端は左右反射面４１ａ，４１ｂを形成している。そして、ストロボ放電管３８が発したストロボ光の内、ストロボ放電管３８の円筒状外周面に倣う湾曲面を成す底面３９ｃ側に照射されたストロボ光を、この上下反射面３９ａと左右反射面４１ａ，４１ｂで前方に反射させて、ストロボ光を効率よく前方（被写体側）に照射する。
【００１９】
このストロボリフレクタ３９の反射面は大変傷つきやすいので、素材の段階からストロボ装置５の組み立て前まで、薄いビニール製の保護シート３９ｂがこの上下反射面３９ａと左右反射面４１ａ，４１ｂに貼り付けられている。そして、後述する保護シート除去装置で保護シート３９ｂが除去されてから組み込まれる。なお、ストロボリフレクタ３９がレフケース４０に装着された状態で保護シート３９ｂを除去してもよい。
【００２０】
ストロボリフレクタ３９は、前方（被写体側）が開放面３９ｄを形成し、左右反射面４１ａ，４１ｂの後端縁である底面３９ｃ寄りには、ストロボ放電管３８が貫通する切欠穴４１ｃ，４１ｄが各々形成される。左右反射面４１ａ，４１ｂは、底面３９ｃから開放面３９ｄに向かって逆ハの字型に広がっている。そして、切欠穴４１ｃ，４１ｄの周縁の内、底面３９ｃ側を開放面３９ｄと直角な角度に屈曲させた耳状片４１ｅ，４１ｆが形成されている。この耳状片４１ｅ，４１ｆの形成により、後述する保護シート除去装置で保護シート３９ｂを吸引除去する際に、保護シート３９ｂの引っ掛かりを防止する。
【００２１】
プロテクター１０は、ストロボ放電管３８、及びストロボリフレクタ３９を保護し、ストロボ光を均一に分散させるものである。このプロテクター１０には、係合板１０ａが突設されており、プロテクター１０の係合爪４０ａと係合する。レフケース４０は、ストロボ放電管３８、ストロボリフレクタ３９、及びプロテクター１０をストロボ発光部２３として一体に保持するものであり、プロテクター１０の係合板１０ａと係合する係合爪４０ａが、一体に突設されている。
【００２２】
図７は、ストロボ装置の組み立て工程の内、ストロボリフレクタの反射面に貼り付けられている保護シートを除去するための保護シート除去装置、及びストロボリフレクタを示す説明図である。保護シート除去装置５１は、圧搾空気のガス噴射手段であるガス噴射ノズル５２ａ〜５２ｄと、保護シート３９ｂの吸引手段である吸引ノズル５３と、ストロボリフレクタ３９の中央部分の上部にくるように設けられた飛び出し防止リブ５４等から構成されている。
【００２３】
ガス噴射ノズル５２ａ〜５２ｄは、中央に配置された吸引ノズル５３を取り巻き、且つストロボリフレクタ３９の開放面３９ｄの四隅に向かって設けられている。このガス噴射ノズル５２ａ〜５２ｄは、圧搾空気を送り込むコンプレッサー（図示せず）に繋がっている。そして、ガス噴射ノズル５２ａ〜５２ｄからストロボリフレクタ３９にガスを噴射することにより、ストロボリフレクタ３９の上下反射面３９ａと左右反射面４１ａ，４１ｂに貼り付けられている保護シート３９ｂが浮き上がり、保護シート３９ｂがストロボリフレクタ３９の反射面３９ａから剥離する。なお、このガス噴射ノズル５２ａ〜５２ｄから噴射されるガスは、例えば、１．８秒間に３回など、間欠的に噴射することにより、保護シート３９ｂを効率的に剥離することが可能になる。
【００２４】
吸引ノズル５３は、ガス噴射ノズル５２ａ〜５２ｄに囲まれるように、中央部に配置されており、バキューム装置（図示せず）に接続している。これにより、ガス噴射ノズル５２ａ〜５２ｄによりストロボリフレクタ３９から浮き上がった保護シート３９ｂは、この吸引ノズル５３で吸引除去され、バキューム装置に蓄積される。
【００２５】
ストロボリフレクタ３９の開口縁の上部位置に設けられた飛び出し防止リブ５４は、吸引ノズル５３による保護シート３９ｂの吸引時に、軽量のストロボリフレクタ３９が浮き上がったりしないように、ストロボリフレクタ３９を押さえる。
【００２６】
以上のような構成の作用について説明する。レンズ付きフイルムユニット１のストロボ装置５の組み立て工程において、ストロボリフレクタ３９を取りつける際には、まず、ストロボリフレクタ３９の上下反射面３９ａと左右反射面４１ａ，４１ｂに保護シート３９ｂが貼りついたまま、レフケース４０にセットされる。そして、例えばレフケース４０ごと搬送トレイ５５に載置されて、保護シート除去装置５１に送られる。
【００２７】
レフケース４０にセットされたストロボリフレクタ３９が保護シート除去装置５１に達すると、ガス噴射ノズル５２ａ〜５２ｄから勢い良く圧搾空気が間欠的に噴射される。これにより、保護シート３９ｂと上下反射面３９ａ、左右反射面４１ａ，４１ｂとの間に空気が吹き込まれ、保護シート３９ｂが上下反射面３９ａ、左右反射面４１ａ，４１ｂから浮き上がり、保護シート３９ｂがストロボリフレクタ３９から剥離する。
【００２８】
そして、ストロボリフレクタ３９から剥離した保護シート３９ｂは、吸引ノズル５３で速やかに吸引除去される。この時、従来は左右反射面と同じ角度になっていた切欠穴の耳状片４１ｅ，４１ｆを図１，図５に示すように、開放面３９ｄと直角な角度まで外側に屈曲させたので、この耳状片４１ｅ，４１ｆと左右反射面４１ａ，４１ｂの側端部との間に隙間が形成され、吸引時に保護シート３９ｂが耳状片４１ｅ，４１ｆと上下反射面３９ａの側端部との間に挟まり、吸引不能になることがなく、確実に保護シート３９ｂがストロボリフレクタ３９から除去される。
【００２９】
また、ストロボリフレクタ３９から保護シート３９ｂを剥離する際に、ピンセット等を使用して人手により保護シート３９ｂを剥離、除去する必要がないので、連続して効率よくストロボリフレクタ３９から保護シート３９ｂを剥離することができる。また、保護シート３９ｂを剥離を圧搾空気の噴射により行うので、剥離時にストロボリフレクタ３９の上下反射面３９ａ、左右反射面４１ａ，４１ｂをピンセット等で傷つけてしまうこともない。
【００３０】
なお、上記実施形態においては、左右反射面４１ａ，４１ｂの切欠穴４１ｃ，４１ｄの底面３９ｃ側を耳状片４１ｅ，４１ｆとして開放面３９ｄと直角な角度に屈曲させているが、この耳状片の屈曲角度は、ストロボリフレクタ３９の開放面３９ｄと直角な角度から、左右反射面４１ａ，４１ｂの傾斜角度よりも外側に広い角度の範囲であればよい。耳状片４１ｅ，４１ｆの屈曲角度を開放面３９ｄと直角よりも広くすると、ストロボ放電管３８からの光が後方に反射したり、ストロボ放電管３８の両端の電極３８ａに接近して電流がリークしたり、或いは、ゴミやホコリが侵入しやすくなる等の問題が生じる。
【００３１】
保護シートの吸引除去時に、左右反射面の切欠穴の底面側と、反射面の側端部との間に保護シートが挟まることを防止するためには、上述した実施形態以外にも、例えば、図８に示すように、上下反射面の側端部に切欠を設けてもよい。ストロボリフレクタ６１の左右反射面６２ａ，６２ｂに設けられた切欠穴６２ｃ，６２ｄ周縁の耳状部６２ｅ，６２ｆに対応する、上下反射面６３の後端側には、一定幅の切欠６４が形成される。これにより、切欠穴６２ｃ，６２ｄ周縁の耳状部６２ｅ，６２ｆと反射面６３の側端との間に隙間が形成され、保護シートの吸引除去時に、耳状部６２ｅ，６２ｆと上下反射面６３の後端側との間に保護シートが挟まることがない。
【００３２】
なお、上述した実施形態においては、レンズ付きフイルムユニット用のストロボ装置の例を取り上げたが、勿論、一般のカメラに用いられるストロボ装置のストロボリフレクタにも、全く同様に適用することが可能である。
【００３３】
【発明の効果】
以上のように、本発明においては、保護シートを密着させた反射面が内側になるように金属板を折り曲げ、ストロボ光を放出する矩形状の開放面に向かって上下反射面及び左右反射面が広がるように傾斜されるとともに、前記左右反射面の後端縁には各々ストロボ放電管が貫通する切欠穴が形成され、前記開放面に対向する底面がストロボ放電管の円筒状外周面に倣う湾曲面となったストロボリフレクタであって、ストロボ装置への組み付け工程において前記保護シートが除去されるストロボリフレクタにおいて、前記切欠穴の形成によって前記左右反射面の後端側に各々突出する一対の耳状片を、前記左右反射面の各々の外側に向けて屈曲させたので、ガスの噴射による保護シートの剥離装置に対応し、容易に反射面から保護シートを剥離、吸引することが可能なストロボリフレクタを提供することが可能になる。
【図面の簡単な説明】
【図１】本発明を実施したストロボリフレクタを示す斜視図である。
【図２】本発明のにより組み立てられるレンズ付きフイルムユニットを示す外観斜視図である。
【図３】図２の分解斜視図である。
【図４】図３のストロボ装置を示す分解斜視図である。
【図５】図１の断面図である。
【図６】図４のストロボ発光部を示す説明図である。
【図７】保護シート除去装置を示す断面図である。
【図８】別な実施形態を示す斜視図である。
【符号の説明】
１  レンズ付きフイルムユニット
５  ストロボ装置
２３  ストロボ発光部
３９  ストロボリフレクタ
３９ａ  上下反射面
３９ｂ  保護シート
４０  レフケース
４１ａ，４１ｂ  左右反射面
４１ｅ，４１ｆ  耳状片
５１  保護シート除去装置
５２ａ〜５２ｄ  ガス噴射ノズル
５３  吸引ノズル
５４  飛び出し防止リブ
【図１】
0003745898.tif 000002
【図２】
0003745898.tif 000003
【図３】
0003745898.tif 000004
【図４】
0003745898.tif 000005
【図５】
0003745898.tif 000006
【図６】
0003745898.tif 000007
【図７】
0003745898.tif 000008
【図８】
0003745898.tif 000009